(57)【要約】【課題】一時記録手段に記録された透視画像が消去される前に表示手段に表示させるようにしたＸ線画像診断装置を提供する。【解決手段】被検体１にＸ線を照射するＸ線源３と、Ｘ線源と対向配置され、被検体を透過したＸ線から被検体のＸ線透視画像を撮像する撮像手段４と、撮像手段とデータ通信可能に接続され、かつ撮像手段により撮像されたＸ線透視画像の画像データを記録領域に一時記録する一時記録手段１４と、撮像手段とデータ通信可能に接続され、かつ撮像手段により撮像されたＸ線透視画像を表示する第１の表示手段７とを具備したＸ線画像診断装置において、第１の表示手段は、一時記録手段の記録領域に記録されたＸ線透視画像を撮影時刻の古い順から新しいＸ線透視画像へ順次上書き消去する際に、事前に消去するＸ線透視画像を表示するようにしたことから、操作者の意に反してＸ線透視画像が消失するのを未然に防止することができる。【選択図】図１
2008119291.tif 000002
【特許請求の範囲】
【請求項１】
被検体にＸ線を照射するＸ線源と、前記Ｘ線源と対向配置され、前記被検体を透過したＸ線から前記被検体のＸ線透視画像を撮像する撮像手段と、前記撮像手段とデータ通信可能に接続され、かつ前記撮像手段により撮像された前記Ｘ線透視画像の画像データを記録領域に一時記録する一時記録手段と、前記撮像手段とデータ通信可能に接続され、かつ前記撮像手段により撮像された前記Ｘ線透視画像を表示する第１の表示手段とを具備したＸ線画像診断装置において、前記第１の表示手段は、前記一時記録手段の前記記録領域に記録された前記Ｘ線透視画像を撮影時刻の古い順から新しいＸ線透視画像へ順次上書き消去する際に、事前に消去する前記Ｘ線透視画像を表示することを特徴とするＸ線画像診断装置。
【請求項２】
前記第１の表示手段と異なる第２の表示手段をさらに具備し、かつ事前に消去する前記Ｘ線透視画像は、前記第１の表示手段または前記第２の表示手段の少なくとも一方に選択的に表示されることを特徴とする請求項１に記載のＸ線画像診断装置。
【請求項３】
前記一時記録手段の記録領域から上書き消去される前記Ｘ線透視画像を記録する補助記録手段をさらに具備したことを特徴とする請求項１または２に記載のＸ線画像診断装置。
【請求項４】
前記撮像手段より出力される最新の撮像時刻のＸ線透視ライブ画像及び前記一時記録手段の記録領域から上書き消去されるＸ線透視画像をスーパーインポーズさせて、前記第１の表示手段にライブ画像と消去されるＸ線透視画像を同時に表示する表示制御手段をさらに具備したことを特徴とする請求項１ないし３の何れかに記載のＸ線画像診断装置。
【発明の詳細な説明】
【技術分野】
【０００１】
本発明は、Ｘ線により被検体を透視した際に得られたＸ線透視画像を記録手段に記録及び再生できるようにしたＸ線画像診断装置に関する。
【背景技術】
【０００２】
従来この種のＸ線画像診断装置として、例えば特許文献１に記載されたものが公知である。
前記特許文献１に記載のＸ線画像診断装置は、Ｘ線検出器で変換された可視光像を走査するテレビカメラから出力されたビデオ信号を入力して透視画像を予め設定した時間分だけ記録する画像記録部を設けると共に、この画像記録部に対して外部記録装置を接続し、撮影開始時に撮影制御部から出力される撮影開始信号により、上記画像記録部に記録された撮影直前の透視画像を読み出して外部記録装置に記録できるように構成されている。
また上記構成により、撮影対象部位の確認及び病変部の確認が終り被検体の撮影直前において病変部等の必要な情報が記録された透視画像のみを上記外部記録装置に記録することができるようになっている。
【０００３】
一方前記特許文献１に記載のＸ線画像診断装置では、Ｘ線撮影の他に透視機能を有している。
この透視とは、被検体にＸ線を照射して、被検体の撮影対象部位の確認や、病変部位の有無の確認を行う行為で、その確認後に撮影を行うことから、撮影とは機能的に区別されている。
また病変部位の有無の確認をより確実に行うため、Ｘ線透視画像も記録として保存したいとの要望があり、この要望に対して従来では、透視画像をＶＴＲやＤＶＤ等の記録媒体にアナログ信号で記録しているが、アナログ信号で記録された記録媒体から病変部等の必要な情報を探し出すためには、記録媒体全体を再生して、その中から必要なＸ線透視画像を探し出す必要があり、観察に長時間を要して作業能率が悪い等の問題がある。
かかる問題を改善するため前記特許文献１では、テレビカメラで得られたアナログ信号（ビデオ信号）をデジタル信号に変換して、画像記録部に記録し、被検体の撮影開始とともに、画像記録部に予め接続した外部記録装置に、画像記録部に記録された撮影直前のＸ線透視画像を読み出して記録している。
【特許文献１】特開平６−８６７７６号公報
【発明の開示】
【発明が解決しようとする課題】
【０００４】
しかし前記特許文献１に記載のＸ線画像診断装置のように、アナログ信号をデジタル信号に変換して一時画像記録部に記録し、撮影開始時に外部記録装置に記録するようにしたものでは、次のような問題がある。
すなわち、透視画像をデジタル信号として一時記録する画像記録部は、通常半導体メモリやＨＤＤ（ハードデスク）等の記録手段が使用されており、Ｘ線透視画像を記録できる容量に限度がある。
このため記録するＸ線透視画像が記録容量の上限に達すると、記録を中止するか、すでに記録されているＸ線透視画像の古いものから順に消去して新しいＸ線透視画像を上書きする処理を行っている。
しかし画像記録部の記録容量が上限に達したため以後の記録を中止したり、古いＸ線透視画像に新しいＸ線透視画像を上書きする従来の記録方式では、Ｘ線画像診断装置の操作者はどの時点以降のＸ線透視画像が画像記録部に残っているかをリアルタイムで把握することができない。
このため被検体の透視を長く続けていると、記録されていると思っていた興味対象のＸ線透視画像が残っていないことを後で知ることになり、病変部位の有無の確認に支障をきたす等の問題がある。
また病変部位の確認のために再度Ｘ線による被検体の透視を行うことになった場合、被検体に対するＸ線の被曝量が必要以上に増加する等の問題もある。
本発明はかかる問題を改善するためになされたもので、一時記録手段に記録されたＸ線透視画像が消去される前に、表示手段にＸ線透視画像を表示させるようにしたＸ線画像診断装置を提供して、操作者の意に反してＸ線透視画像が消失するのを未然に防止することを目的とするものである。
【課題を解決するための手段】
【０００５】
本発明のＸ線画像診断装置は、被検体にＸ線を照射するＸ線源と、Ｘ線源と対向配置され、被検体を透過したＸ線から被検体のＸ線透視画像を撮像する撮像手段と、撮像手段とデータ通信可能に接続され、かつ撮像手段により撮像されたＸ線透視画像の画像データを記録領域に一時記録する一時記録手段と、撮像手段とデータ通信可能に接続され、かつ撮像手段により撮像されたＸ線透視画像を表示する第１の表示手段とを具備したＸ線画像診断装置において、第１の表示手段は、一時記録手段の記録領域に記録されたＸ線透視画像を撮影時刻の古い順から新しいＸ線透視画像へ順次上書き消去する際に、事前に消去するＸ線透視画像を表示するものである。
【０００６】
前記構成により、Ｘ線画像診断装置を操作する操作者は、第１の表示手段に表示されるＸ線透視画像のライブ画像と、一時記録手段の記録領域より上書き消去されるＸ線透視画像の両方を見ながら被検体の診断作業を行うことができるため、病変部位の有無の確認等に使用したい興味対象のＸ線透視画像が一時記録手段の記録領域から上書き消去される前に記録を停止させることにより、興味対象となるＸ線透視画像の消失を防止でき、これによって操作者の意に反してＸ線透視画像が消失するのを未然に防止することができる。
また病変部位の有無の確認等に必要なＸ線透視画像を消失することがないため、再度Ｘ線により被検体を透視する等の診断作業が不要となり、これによって被検体に対するＸ線の被曝量が必要以上に増加するのを防止することができる上、Ｘ線画像診断装置を操作する操作者の負担を軽減することもできる。
【０００７】
本発明のＸ線画像診断装置は、第１の表示手段と異なる第２の表示手段をさらに具備し、かつ事前に消去するＸ線透視画像は、第１の表示手段または第２の表示手段の少なくとも一方に選択的に表示されるようにしたものである。
【０００８】
前記構成により、第１の表示手段を見ながらＸ線画像診断装置を操作して被検体の透視作業を行い、同時に第２の表示手段を監視して、一時記録手段の記録領域から透視画像が上書き消去される前に記録を停止させることができるため、興味対象となる透視画像の消失を確実に防止できるようになる。
【０００９】
本発明のＸ線画像診断装置は、一時記録手段の記録領域から上書き消去されるＸ線透視画像を記録する補助記録手段をさらに具備したものである。
【００１０】
前記構成により、第１の表示手段または第２の表示手段に表示されたＸ線透視画像が消去される前に記録を停止した際、操作タイミングが遅れて興味対象となる透視画像が消去された場合でも、補助記録手段に記録された透視画像から目的とする透視画像を取り出すことができるようになる。
【００１１】
本発明のＸ線画像診断装置は、撮像手段より出力される最新の撮像時刻のＸ線透視ライブ画像及び一時記録手段の記録領域から上書き消去されるＸ線透視画像をスーパーインポーズさせて、第１の表示手段にライブ画像と消去されるＸ線透視画像を同時に表示する表示制御手段をさらに具備したものである。
【００１２】
前記構成により、表示手段が１台で済むことから、表示手段を設置するためのスペースと設備費の削減が図れる上、Ｘ線画像診断装置の操作者は、一度にライブ画像と消去前のＸ線透視画像を同時に見ることができるため、作業時の負担を軽減することができる。
【発明の効果】
【００１３】
本発明のＸ線画像診断装置によれば、病変部位の有無の確認等に使用したい興味対象のＸ線透視画像が一時記録手段の記録領域から上書き消去される前に記録を停止させることにより、操作者の意に反してＸ線透視画像が消失するのを未然に防止することができる。
【発明を実施するための最良の形態】
【００１４】
本発明の実施の形態を、図面を参照して詳述する。
図１はＸ線画像診断装置の全体的な構成図、図２ないし図５は作用説明図である。
図１に示すＸ線画像診断装置は、被検体１にＸ線を照射して、被検体１の対象部位について透視及びＸ線撮影を行うもので、被検体１が横臥する寝台２を備えており、寝台２を挟んで対向する位置に、被検体１にＸ線を照射するＸ線管よりなるＸ線源３と、被検体１を透過したＸ線を検出する撮像手段４が設置されており、これらＸ線源３及び撮像手段４は、被検体１を中心に角度調整自在となっている。
Ｘ線源２には高電圧発生手段５が接続されていて、高電圧発生手段５より印加された高電圧によりＸ線源２から被検体１に向けてＸ線を照射するようになっている。
撮像手段４は、ＩＩ（イメージインテンシファイヤ）とテレビカメラ及びＡ／Ｄコンバータとから構成され、もしくはＦＰＤ（フラットパネルデテクタ）で構成されていて、被検体１を透過したＸ線を検出することにより被検体１を撮像するようになっており、撮像手段４で得られたデジタル画像データは、撮像手段４とデータ通信可能に接続されら第１の表示手段７に線路６を介して出力することにより、第１の表示手段７にＸ線透視画像が表示できるようになっている。
【００１５】
Ｘ線源２へ高電圧を印加する高電圧発生手段５や撮像手段４は、制御手段８の出力側に接続されていて、制御手段８の入力側に接続された操作手段９を操作することにより、制御手段８を介してＸ線強度や撮像手段４による撮像条件等が制御できるようになっている。
撮像手段４と第１の表示手段７を接続する線路６は、途中から分岐されていて、この分岐線路６ａに、スイッチ手段１２を介して記録制御手段１３がデータ通信可能に接続されており、スイッチ手段１２は、記録制御手段８によりＸ線の発生に連動してオン、オフ制御される他に、Ｘ線画像診断装置を操作する操作者により任意なタイミングでオン、オフ操作できるようになっている。
記録制御手段１３には、制御手段８が接続されていて、操作手段９により高電圧発生手段５や撮像手段４を操作する際、これらに連携してＸ線の発生タイミングや画像データの出力開始及び終了等を制御できるようになっている。
記録制御手段１３には、半導体メモリや高速磁気デスク（ＨＤＤ）よりなる一時記録手段１４がデータ通信可能に接続されていて、Ｘ線透視画像のデジタルデータを一時記録できるようになっており、一時記録手段１４には、消去制御手段１５を介して第２の表示手段１６がデータ通信可能に接続されていると共に、記録制御手段１３及び消去制御手段１５は、予め組み込まれた制御プログラムにより動作が制御されるようになっている。
また記録制御手段１３の出力側には外部記録手段１７がデータ通信可能に接続されていて、一時記録手段１４の記録領域から撮像時刻の古い順から上書き消去される前の透視画像が記録できるようになっている。
【００１６】
次に図２ないし図５に示す図面も参照して、前記Ｘ線画像診断装置の作用を説明する。
診断すべき被検体１を寝台２上に横臥させたら、操作手段を走査して被検体１の透視を開始する。
被検体１の透視は、Ｘ線源より被検体１へＸ線を照射することにより行う。
そして被検体１を通過したＸ線は撮像手段４により検出され、デジタルの画像データとして図２に示すように第１の表示手段７へ送られ、第１の表示手段７に始めの透視画像「１」が表示される。
このときスイッチ手段１２はオンになっていて、撮像手段４より出力された画像データは、分岐線路６ａより記録制御手段１３へも入力される。
撮像手段４により撮像されるＸ線透視画像は、通常１秒当り３０枚で１０秒間、すなわち３００枚かそれ以上のオーダで撮像され、撮像手段４よりＸ線透視画像の画像データとして撮像時刻順に出力されるが、ここでは説明を簡単にするため、一時記録手段１４の記録領域には、１０枚分のＸ線透視画像が記録できる容量を有するものとして説明する。
撮像手段４より出力された１枚目の画像データにより第１の表示手段７にそのＸ線透視画像「１」が図２に示すように表示されると同時に、記録制御手段１３は、Ｘ線透視画像「１」を一時記録手段１４の先頭の記録領域へ記録する。
【００１７】
以下同様に撮像手段４より撮像時刻順に出力された画像データによるＸ線透視画像「２」・・・「１０」が第１の表示手段７へ順次表示されると同時に、記録制御手１３段によってＸ線透視画像「２」・・・「１０」が一時記録手段１４の記録領域へ撮像時刻順に順次記録されていくが、このときはまだ消去すべきＸ線透視画像がないことから、消去制御手段１５は休止状態にあり、第２の表示手段１６もＸ線透視画像を表示していない。
被検体１の透視が進み、撮像手段４から、一時記録手段１４の記録容量の上限である１０枚目のＸ線透視画像「１０」の画像データが出力されると、第１の表示手段７には画像データによるＸ線透視画像「１０」が表示されると同時に、記録制御手段１３は、図３に示すようにＸ線透視画像「１０」を一時記録手段１４の最後の記録領域に記録する。
そして一時記録手段１４の記録容量の上限までＸ線透視画像が記録されたのを消去制御手段１５が検知すると、次のＸ線透視画像「１１」の画像データが撮像手段４より出力された場合に備えて、一時記録手段１４の先頭の記録領域に記録されているＸ線透視画像「１」を読み出し、第２の表示手段１６にそのＸ線透視画像「１」を図３に示すように表示し、直後に発生する上書きによる消去に備える。
【００１８】
次に撮像手段４から１１枚目のＸ線透視画像「１１」の画像データが出力されると、その画像データのＸ線透視画像「１１」が図４に示すように第１の表示手段７に表示され、また記録制御手段１３は、Ｘ線透視画像「１１」を一時記録手段１４の先頭領域に上書きすると同時に、消去制御手段１５は次に消去される２枚目のＸ線透視画像「２」を一時記録手段１４の記録領域から読み出して第２の表示手段１６に表示する。
図５は撮像手段４から７５枚目のＸ線透視画像「７５」の画像データが出力され、その画像データのＸ線透視画像「７５」が第１の表示手段７に表示され、また記録制御手段１３により一時記録手段１４の記録領域にＸ線透視画像「７５」が記録されると同時に、消去制御手段１５が次に消去される６６枚目のＸ線透視画像「６６」を一時記録手段１４の記録領域から読み出して第２の表示手段１６に表示している状態を示している。
【００１９】
以上の動作は、Ｘ線源３より被写体１に向けてのＸ線の照射が停止され、また撮像手段４から画像データの出力が中止されるまでの間繰り返されるので、図４に示すようにどの時点においても第１の表示手段７には、撮像手段４が撮像した現在最新の透視画像がライブ画像としてリアルタイムで表示され、第２の表示手段１６には、一時記録手段１４の記録領域からまさに消去されようとしているＸ線透視画像が表示される。
これによってＸ線画像診断装置の操作者は、第１の表示手段７を見ながらＸ線画像診断装置を操作して被検体１の透視作業を行い、同時に第２の表示手段１６を監視して、病変部位の有無の確認等に使用したい興味対象のＸ線透視画像が第２の表示手段１６に表示されている時点でスイッチ手段１２を操作することにより、一時記録手段１４の記録領域から撮像時刻の古い順にＸ線透視画像が上書き消去される前に記録を停止させることができ、興味対象となるＸ線透視画像の消失を未然に防止できるようになる。
またスイッチ手段１２を操作して記録を一時停止させると、消去制御手段１５の出力側に接続された外部記録手段１７に消去される前のＸ線透視画像が記録されるため、被検体１のＸ線透視後にも、外部記録手段１７に記録されたＸ線透視画像から病変部位の有無の確認等の作業を行うことができる。
【００２０】
一方前記実施の形態では、第２の表示手段１６に病変部位の有無の確認等に使用したい興味対象のＸ線透視画像が表示されている時点でスイッチ手段１２を操作して、一時記録手段１４の記録領域からＸ線透視画像が上書き消去される前に記録を停止させることにより、興味対象となる透視画像の消失を防止するようにしたが、スイッチ手段１２の操作タイミングが遅れると、残したいＸ線透視画像も消去されてしまうことがある。
これを防止するため図６に示す変形例では、消去制御手段１５に補助記録手段１８を接続して、第２の表示手段１６に表示させたＸ線透視画像の例えば「２」を補助記録手段１８にも記録するようにしている。
これによって第２の表示手段１６に表示されたＸ線透視画像「２」が消去される前にスイッチ手段１２を操作した際、操作タイミングが遅れて興味対象となる透視画像が消去された場合でも、補助記録手段１８に記録されたＸ線透視画像から、目的とするＸ線透視画像を取り出し、外部記録手段１７に記録することができる。
【００２１】
また図７に示す変形例は、撮像手段４と第１の表示手段７をデータ通信可能に接続する線路６の途中に表示制御手段２０を設置して、撮像手段４より出力されるライブ画像と、消去制御手段１５より出力される消去前のＸ線透視画像をスーパーインポーズさせ、第１の表示手段７にライブ画像と消去されるＸ線透視画像を同時に表示するようにしたもので、この変形例によれば表示手段が１台で済むことから、表示手段を設置するためのスペースと設備費の削減が図れる上、Ｘ線画像診断装置の操作者は、一度にライブ画像と消去前のＸ線透視画像を同時に見ることができるため、作業時の負担を軽減することができる。
【図面の簡単な説明】
【００２２】
【図１】本発明の実施の形態になるＸ線画像診断装置の全体的な構成図である。
【図２】本発明の実施の形態になるＸ線画像診断装置により透視したＸ線透視画像の記録及び表示状態を示す説明図である。
【図３】本発明の実施の形態になるＸ線画像診断装置により透視したＸ線透視画像の記録及び表示状態法を示す作用説明図である。
【図４】本発明の実施の形態になるＸ線画像診断装置により透視したＸ線透視画像の記録及び表示状態を示す作用説明図である。
【図５】本発明の実施の形態になるＸ線画像診断装置により透視したＸ線透視画像の記録及び表示状態を示す作用説明図である。
【図６】本発明の実施の形態になるＸ線画像診断装置により透視したＸ線透視画像の記録及び表示状態の変形例を示す説明図である。
【図７】本発明の実施の形態になるＸ線画像診断装置により透視したＸ線透視画像の記録及び表示状態の変形例を示す説明図である。
【符号の説明】
【００２３】
１    被検体
３    Ｘ線源
４    撮像手段
７    第１の表示手段
１４    一時記録手段
１６    第２の表示手段
１８    補助記録手段
２０    表示制御手段
【図１】
2008119291.tif 000003
【図２】
2008119291.tif 000004
【図３】
2008119291.tif 000005
【図４】
2008119291.tif 000006
【図５】
2008119291.tif 000007
【図６】
2008119291.tif 000008
【図７】
2008119291.tif 000009